(57)【特許請求の範囲】
【請求項１】
媒体を取引する媒体取引装置における、内部に前記媒体を集積させる集積空間を有し当該媒体取引装置に対し前記媒体を入出する入出部に設けられた帯電防止機構において、
移動する前記媒体の近傍において前記集積空間に集積された前記媒体を支持し成形により形成されたガイドと、
前記ガイドの近傍に設けられた導電性のフレームと、
前記ガイドを挟んで前記集積空間の逆側に配され前記ガイドにおいて前記集積空間と前記集積空間の逆側とを連通するよう穿設された孔部から前記集積空間に向かって光軸が向けられた、前記集積空間の前記媒体を検知する光学式の媒体検知センサを保護するよう、前記ガイドの前記集積空間側の表面において前記孔部を囲うと共に前記フレームに接触するよう形成され、帯電した前記媒体から移動した電荷を前記フレームへ放電する導体の配線パターンである除電部と
を有する帯電防止機構。
【請求項２】
媒体を取引する媒体取引装置における、内部に前記媒体を集積させる集積空間を有し当該媒体取引装置に対し前記媒体を入出する入出部に設けられた帯電防止機構において、
成形により形成され、前記集積空間から搬送部へ前記媒体を繰出方向へ繰り出す繰出部と、前記集積空間へ前記搬送部から前記媒体を集積させる集積部との間を往復移動し、前記媒体を支持するビルプレスと、
成形により形成され、前記ビルプレスに対向して配置され前記ビルプレスよりも前記繰出部側において前記繰出部と前記集積部との間を往復移動し、前記媒体を押圧するプールガイドと、
前記ビルプレス及び前記プールガイドの移動方向である集積方向に沿って延設され、少なくとも前記ビルプレス又は前記プールガイドの何れか一方から伸びたアーム部が嵌り込み前記ビルプレス又は前記プールガイドを前記集積方向に沿って移動させるアーム部ガイド空間が形成され、前記集積空間に集積された前記媒体を支持するサイドガイドと、
前記ビルプレス及び前記プールガイドの近傍に設けられた導電性のフレームと、
前記アーム部の表面と前記フレームとを電気的に接続するよう少なくとも前記ビルプレス又は前記プールガイドの何れか一方の表面と前記サイドガイドの表面とに形成された、帯電した前記媒体から前記ビルプレス又は前記プールガイドへ移動した電荷を前記フレームへ放電する導体の配線パターンである除電部と
を有する帯電防止機構。
【請求項３】
内部に媒体を集積させる集積空間を有し前記媒体を入出する入出部を具え、前記媒体を取引する媒体取引装置において、
前記媒体に関する取引を受け付ける顧客応対部と、
移動する前記媒体の近傍において前記集積空間に集積された前記媒体を支持し成形により形成されたガイドと、
前記ガイドの近傍に設けられた導電性のフレームと、
前記ガイドを挟んで前記集積空間の逆側に配され前記ガイドにおいて前記集積空間と前記集積空間の逆側とを連通するよう穿設された孔部から前記集積空間に向かって光軸が向けられた、前記集積空間の前記媒体を検知する光学式の媒体検知センサを保護するよう、前記ガイドの前記集積空間側の表面において前記孔部を囲うと共に前記フレームに接触するよう形成され、帯電した前記媒体から移動した電荷を前記フレームへ放電する導体の配線パターンである除電部と
を有する媒体取引装置。
【請求項４】
内部に媒体を集積させる集積空間を有し前記媒体を入出する入出部を具え、前記媒体を取引する媒体取引装置において、
前記媒体に関する取引を受け付ける顧客応対部と、
成形により形成され、前記集積空間から搬送部へ前記媒体を繰出方向へ繰り出す繰出部と、前記集積空間へ前記搬送部から前記媒体を集積させる集積部との間を往復移動し、前記媒体を支持するビルプレスと、
成形により形成され、前記ビルプレスに対向して配置され前記ビルプレスよりも前記繰出部側において前記繰出部と前記集積部との間を往復移動し、前記媒体を押圧するプールガイドと、
前記ビルプレス及び前記プールガイドの移動方向である集積方向に沿って延設され、少なくとも前記ビルプレス又は前記プールガイドの何れか一方から伸びたアーム部が嵌り込み前記ビルプレス又は前記プールガイドを前記集積方向に沿って移動させるアーム部ガイド空間が形成され、前記集積空間に集積された前記媒体を支持するサイドガイドと、
前記ビルプレス及び前記プールガイドの近傍に設けられた導電性のフレームと、
前記アーム部の表面と前記フレームとを電気的に接続するよう少なくとも前記ビルプレス又は前記プールガイドの何れか一方の表面と前記サイドガイドの表面とに形成された、帯電した前記媒体から前記ビルプレス又は前記プールガイドへ移動した電荷を前記フレームへ放電する導体の配線パターンである除電部と
を有する媒体取引装置。
【請求項５】
前記除電部は、前記ビルプレス及び前記プールガイドの両方に設けられている
請求項２に記載の帯電防止機構。
【発明の詳細な説明】
【技術分野】
【０００１】
本発明は帯電防止機構及び媒体取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う入出金部と、投入された紙幣の金種及び真偽を鑑別し記番号を読み取る鑑別部と、投入された紙幣を一時的に保留する一時保留部と、紙幣を搬送する搬送部と、金種毎に紙幣を格納する紙幣収納庫とを有するものがある。
【０００３】
このような現金自動取引装置には、搬送部における成型品である搬送ガイドの表面に導電性膜を設けることにより、紙幣に帯電した静電気を気中放電させる帯電防止機構を有するものがある（例えば、特許文献１参照）。
【先行技術文献】
【特許文献】
【０００４】
【特許文献１】特開２０１２−１２３６８４号公報
【発明の概要】
【発明が解決しようとする課題】
【０００５】
このような帯電防止機構においては、構造を複雑化させることなく静電気を抑え、信頼性をより向上させるものが望まれている。
【０００６】
本発明は以上の点を考慮してなされたもので、信頼性を向上し得る帯電防止機構及び媒体取引装置を提案しようとするものである。
【課題を解決するための手段】
【０００７】
かかる課題を解決するため本発明の帯電防止機構においては、媒体を取引する媒体取引装置における、内部に媒体を集積させる集積空間を有し当該媒体取引装置に対し媒体を入出する入出部に設けられた帯電防止機構において、移動する媒体の近傍において集積空間に集積された媒体を支持し成形により形成されたガイドと、ガイドの近傍に設けられた導電性のフレームと、ガイドを挟んで集積空間の逆側に配されガイドにおいて集積空間と集積空間の逆側とを連通するよう穿設された孔部から集積空間に向かって光軸が向けられた、集積空間の媒体を検知する光学式の媒体検知センサを保護するよう、ガイドの集積空間側の表面において孔部を囲うと共にフレームに接触するよう形成され、帯電した媒体から移動した電荷をフレームへ放電する導体の配線パターンである除電部とを設けるようにした。
【０００８】
また本発明の媒体取引装置においては、内部に媒体を集積させる集積空間を有し媒体を入出する入出部を具え、媒体を取引する媒体取引装置において、媒体に関する取引を受け付ける顧客応対部と、移動する媒体の近傍において集積空間に集積された媒体を支持し成形により形成されたガイドと、ガイドの近傍に設けられた導電性のフレームと、ガイドを挟んで集積空間の逆側に配されガイドにおいて集積空間と集積空間の逆側とを連通するよう穿設された孔部から集積空間に向かって光軸が向けられた、集積空間の媒体を検知する光学式の媒体検知センサを保護するよう、ガイドの集積空間側の表面において孔部を囲うと共にフレームに接触するよう形成され、帯電した媒体から移動した電荷をフレームへ放電する導体の配線パターンである除電部とを設けるようにした。
【０００９】
本発明では、構造を複雑化させることなく除電部により静電気を除電することができる。
【発明の効果】
【００１０】
本発明によれば、構造を複雑化させることなく除電部により静電気を除電することができる。かくして本発明は、信頼性を向上し得る帯電防止機構及び媒体取引装置を実現できる。
【図面の簡単な説明】
【００１１】
【図１】現金自動取引装置の構成を示す斜視図である。
【図２】紙幣入出金機の構成を示す左側面図である。
【図３】入出金部の構成を示す左側面図である。
【図４】第１の実施の形態による入出金部の構成（１）を示す平面図である。
【図５】第１の実施の形態による入出金部の構成（２）を示す左側面図である。
【図６】第１の実施の形態による入出金部の構成（３）を示す背面図である。
【図７】第１の実施の形態によるサイドガイドの構成を示す右側面図である。
【図８】入出金部の分離動作を示す左側面図である。
【図９】入出金部の集積動作を示す左側面図である。
【図１０】第１の実施の形態による搬送部の構成を示す左側面図である。
【図１１】第２の実施の形態による入出金部（１）の構成を示す左側面図である。
【図１２】第２の実施の形態による入出金部（２）の構成を示す背面図である。
【図１３】第２の実施の形態による搬送部の構成を示す左側面図である。
【発明を実施するための形態】
【００１２】
以下、発明を実施するための形態（以下実施の形態とする）について、図面を用いて説明する。
【００１３】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に顧客応対部３が設けられている。
【００１４】
顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。入出金口５は、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１５】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して入金取引や出金取引等の種々の処理を行う。
【００１６】
以下では、現金自動取引装置１のうち利用者が対峙する側を前側とし、その反対を後側とし、当該前側に対峙した利用者から見て左及び右をそれぞれ左側及び右側とし、さらに上側及び下側を定義して説明する。
【００１７】
［１−２．紙幣入出金機の内部構成］
紙幣入出金機１０は、図２に示すように、箱状の入出金機筐体１１を中心に構成されており、紙幣制御部１２が各部（入出金部１６、搬送部２４、鑑別部１８、一時保留部２０、紙幣収納庫２６、リジェクト庫２８及び取忘れ庫２２）を統括制御する。
【００１８】
紙幣制御部１２は、図示しないＣＰＵを中心に構成されており、ＲＯＭ、ＲＡＭ、ハードディスクドライブやフラッシュメモリ等でなる記憶部１４（図１）から所定のプログラムを読み出して実行することにより、各部を制御して入金取引や出金取引等の種々の処理を行う。記憶部１４は、鑑別部１８が紙幣を鑑別した鑑別結果及び紙幣の記番号の識別結果等を取引情報と合わせて記憶する。
【００１９】
紙幣入出金機１０の内部には、上側に入出部としての入出金部１６、紙幣の金種や真偽を判定する鑑別部１８及び入金紙幣等を一時的に保留する一時保留部２０等が設けられている。
【００２０】
入出金部１６は、顧客から投入された紙幣を１枚ずつ分離し搬送部２４へ繰り出す。また入出金部１６は、搬送部２４へ繰り出す紙幣と、入金リジェクト紙幣として入出金部１６へ戻された紙幣とを分別して保持する。また入出金部１６は、当該入出金部１６内部において、搬送部２４へ繰り出す紙幣が存在するか否かを検出する図示しない紙幣検知センサが設けられている。
【００２１】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０及び入出金部１６とをそれぞれ接続している。また搬送部２４は、鑑別部１８の前側と入出金部１６、紙幣収納庫２６、リジェクト庫２８及び取忘れ庫２２とを接続している。搬送部２４の分岐点には、セレクタ（図示せず）が設けられており、紙幣制御部１２の制御に基づき回動することにより、紙幣の搬送先を切り替える。この搬送部２４には、紙幣を検出する紙幣検出センサが複数箇所に設けられており、紙幣の検出結果を紙幣制御部１２へ送出する。
【００２２】
鑑別部１８は、その内部で紙幣を搬送しながら、光学素子や磁気検出素子等を用いて当該紙幣の金種及び真偽、並びに損傷の程度等（正損）を鑑別し、その鑑別結果を紙幣制御部１２へ通知する。また鑑別部１８は、撮像した紙幣の画像データから、紙幣毎に付与されその紙幣の一面に予め印刷された英数字等で構成された紙幣識別情報である記番号を読み取り識別する。このとき鑑別部１８は、識別した字を識別結果として紙幣制御部１２へ通知する。これに応じて紙幣制御部１２は、取得した鑑別結果及び識別結果に基づいて紙幣の搬送先を決定する。
【００２３】
一時保留部２０は、入金時に顧客が入出金部１６へ投入した紙幣を一時的に保留し、鑑別部１８で入金可能と鑑別された入金可能紙幣を入金が確定するまで一時的に保留する。一方、入金不可と鑑別された入金リジェクト紙幣は入出金部１６へ排出される。また一時保留部２０は、出金時において鑑別部１８で出金不可能と鑑別された出金不可紙幣を、出金可能な紙幣が出金されるまで一時的に保留し、その後当該出金不可紙幣をリジェクト庫２８へ排出する。
【００２４】
また紙幣入出金機１０の内部には、下側に金種別の紙幣収納庫２６と、鑑別部１８において破損した紙幣（いわゆる損券）と鑑別された紙幣、偽造券と判別された紙幣及び５千券や２千券等の還流されない金種の紙幣を格納するリジェクト庫２８と、取引時に顧客が入出金部１６から取り忘れた紙幣を回収して格納する取忘れ庫２２とが設けられている。紙幣収納庫２６、リジェクト庫２８及び取忘れ庫２２は、紙幣入出金機１０に設けられたスロットに着脱自在に構成されている。紙幣収納庫２６は、収納繰出機構により、搬送部２４から搬送されてきた紙幣を取り込んで収納すると共に、収納されている紙幣を排出して搬送部２４へ供給する。
【００２５】
かかる構成において現金自動取引装置１は、鑑別部１８による紙幣の鑑別結果及び識別結果等をもとに主制御部９及び紙幣制御部１２が各部を制御して、紙幣の入金処理及び出金処理等を行う。
【００２６】
すなわち現金自動取引装置１は、入金取引時、顧客により操作表示部６を介して入金取引が選択され、さらに入出金部１６に紙幣が投入されると、投入された紙幣を入出金部１６から１枚ずつ鑑別部１８に搬送する。ここで現金自動取引装置１は、鑑別部１８の鑑別結果及び識別結果に基づき入金可能と判定された入金可能紙幣については一時保留部２０に搬送して一時的に収納する。一方で現金自動取引装置１は、入金に適さないと判定された入金リジェクト紙幣については入出金部１６へ戻して、シャッタ３４を開くことで顧客に返却する。その後顧客により入金金額が確定されると、現金自動取引装置１は、一時保留部２０に収納している紙幣を鑑別部１８に搬送して鑑別結果及び記番号の識別結果を得る。ここで現金自動取引装置１は、鑑別部１８の鑑別結果及び識別結果に基づき収納可能と判定された紙幣については、その金種に応じて各紙幣収納庫２６へ搬送して保管する。一方で現金自動取引装置１は、収納に適さないと判定された紙幣については、リジェクト庫２８へ搬送する。
【００２７】
一方出金取引時、現金自動取引装置１は、顧客により操作表示部６を介して出金取引が選択され出金金額が入力されると、要求金額に応じて必要な金種毎の紙幣枚数を認識し、この金種毎の紙幣枚数に応じて各紙幣収納庫２６から紙幣を繰り出して鑑別部１８に搬送して鑑別結果及び記番号の識別結果を得る。ここで現金自動取引装置１は、鑑別部１８の鑑別結果及び識別結果に基づき出金可能と判定された出金可能紙幣については入出金部１６に搬送する。一方で現金自動取引装置１は、出金に適さないと判定された出金リジェクト紙幣については一時保留部２０に搬送して一時的に収納する。そして要求金額分の紙幣が入出金部１６へ集積されると、現金自動取引装置１は、シャッタ３４を開ける。これにより入出金部１６内に集積されている紙幣の受け取りが可能な状態となり、顧客がこの紙幣を受け取る。その後現金自動取引装置１は、一時保留部２０に収納している出金リジェクト紙幣をリジェクト庫２８へと搬送して保管する。
【００２８】
［１−３．入出金部の構成］
図３乃至図６に示すように、入出金部１６は、フレーム３０内に複数の部品が取り付けられており、内部に紙幣を集積するための集積空間３２を形成している。このフレーム３０は、入出金機筐体１１と電気的に接続されている。図３及び図５は左側部３０Ｌを図示せず省略し、図６は後側部３０Ｂを図示せず省略する。
【００２９】
フレーム３０は、金属板により形成され、全体として直方体状に構成されており、内部に直方体状の内部空間３０Ａが形成されている。内部空間３０Ａは、その下側、前側、後側、右側及び左側においてそれぞれ下側部３０Ｄ、前側部３０Ｆ、後側部３０Ｂ、右側部３０Ｒ及び左側部３０Ｌにより囲まれる一方、上側が大きく開放されることにより外部と連通している。フレーム３０の上側には、シャッタ３４が設けられている。シャッタ３４は、図示しない駆動機構によってそれぞれ前後方向へ摺動されることにより、内部空間３０Ａを外部から閉塞し、また外部へ開放する。
【００３０】
内部空間３０Ａの左端近傍には、上側に上側サイドガイド３６Ｌが、下側に下側サイドガイド３８Ｌが、アーム部ガイド空間４０Ｌを空けて設けられている。内部空間３０Ａの右端近傍には、上側に上側サイドガイド３６Ｒが、下側に下側サイドガイド３８Ｒが、アーム部ガイド空間４０Ｒを空けて設けられている。以下では上側サイドガイド３６Ｌ及び３６Ｒをまとめて上側サイドガイド３６とも呼び、下側サイドガイド３８Ｌ及び３８Ｒをまとめて下側サイドガイド３８とも呼び、アーム部ガイド空間４０Ｌ及び４０Ｒをまとめてアーム部ガイド空間４０とも呼ぶ。
【００３１】
上側サイドガイド３６及び下側サイドガイド３８は、集積方向である前後方向に細長く左右方向にやや薄い直方体状に形成されている。すなわち上側サイドガイド３６及び下側サイドガイド３８は、いずれも前後対称に構成されている。上側サイドガイド３６Ｌ及び下側サイドガイド３８Ｌと上側サイドガイド３６Ｒ及び下側サイドガイド３８Ｒとは、互いに左右対称に構成されている。上側サイドガイド３６及び下側サイドガイド３８は、内部空間３０Ａ内において、左右方向すなわち紙幣の幅方向に関する位置を規制している。
【００３２】
下側サイドガイド３８Ｌ及び３８Ｒには、前後方向のほぼ中央部分において、左側面と右側面とを連通させ後述する媒体検知センサとしての紙幣検知センサ３５Ｌ及び３５Ｒそれぞれの光軸を通過させる円筒形状の孔部４１Ｌ及び４１Ｒが左右方向に対向するようそれぞれ穿設されている。下側サイドガイド３８Ｌの左側面には、紙幣の有無を光学的に検出する紙幣検知センサ３５Ｌが、円筒形状の検出部を孔部４１Ｌに挿入されつつ固定されている。この紙幣検知センサ３５Ｌは、金属製のパーツを含んで構成されている。下側サイドガイド３８Ｒの右側面には、紙幣の有無を光学的に検出する紙幣検知センサ３５Ｒが、円筒形状の検出部を孔部４１Ｒに挿入されつつ固定されている。この紙幣検知センサ３５Ｒは、金属製のパーツを含んで構成されている。紙幣検知センサ３５Ｌ及び３５Ｒは、互いに左右対称に構成されており、以下では紙幣検知センサ３５Ｌ及び３５Ｒをまとめて保護対象部としての紙幣検知センサ３５とも呼ぶ。
【００３３】
また内部空間３０Ａ内には、導電性材料で樹脂成形された成形品であり板状のビルプレス４２及びプールガイド４４が設けられている。ビルプレス４２は、前後方向に薄い板状に形成されており、内部空間３０Ａを前後方向に仕切る。ビルプレス４２の上端及び下端は、それぞれシャッタ３４の下面及びフレーム３０の下側部３０Ｄに対し、それぞれ僅かな隙間を形成している。またビルプレス４２は、左右の両側面における上下の中央付近からそれぞれ外方へ向けて四角柱形状のビルプレスアーム部４３Ｌ及び４３Ｒ（以下ではまとめてビルプレスアーム部４３とも呼ぶ）が延設されている。
【００３４】
ビルプレスアーム部４３Ｌは、上側サイドガイド３６Ｌ及び下側サイドガイド３８Ｌとの間にそれぞれ僅かな隙間を形成しつつ、アーム部ガイド空間４０Ｌを介し上側サイドガイド３６Ｌ及び下側サイドガイド３８Ｌの外側まで貫通している。ビルプレスアーム部４３Ｒは、ビルプレスアーム部４３Ｌと左右対称に形成されており、アーム部ガイド空間４０Ｒを介し上側サイドガイド３６Ｒ及び下側サイドガイド３８Ｒの外側まで貫通している。これによりビルプレス４２は、アーム部ガイド空間４０によってビルプレスアーム部４３が案内されることにより、前後方向へ自在に移動する。
【００３５】
このビルプレス４２は、紙幣制御部１２（図２）の制御に基づき、ビルプレス駆動部４６により前後方向へ駆動される。ビルプレス駆動部４６は、左側部３０Ｌの左側及び右側部３０Ｒの右側にそれぞれ設けられており、駆動プーリ４８、従動プーリ５０、ベルト５２及び固定部５４により構成されている。
【００３６】
駆動プーリ４８は、内部空間３０Ａの前側に配置されており、回転軸を左右方向に向けた円板状に形成されている。また駆動プーリ４８は、図示しないアクチュエータからの駆動力が伝達されることにより、図５における時計回り又は反時計回りに回転する。従動プーリ５０は、内部空間３０Ａの後側に配置されており、駆動プーリ４８と同様、回転軸を左右方向に向けた円板状に形成されている。この駆動プーリ４８は、図示しない軸受を介して、フレーム３０に対し図５における時計回り又は反時計回りに自在に回転し得るように取り付けられている。ベルト５２は、柔軟性を有する材料でなり、円環状に形成されている。このベルト５２は、駆動プーリ４８及び従動プーリ５０の周囲に掛け回されており、駆動プーリ４８が回転されると、従動プーリ５０を回転させながら走行する。固定部５４は、ベルト５２に対し固定されると共に、ビルプレスアーム部４３における左右の側部に対しても固定されている。このため固定部５４は、ベルト５２の走行に伴ってビルプレス４２を前後方向へ移動させる。
【００３７】
プールガイド４４は、ビルプレス４２と同様の板状に構成されており、上端及び下端は、それぞれシャッタ３４の下面及びフレーム３０の下側部３０Ｄに対し、それぞれ僅かな隙間を形成している。またプールガイド４４は、左右の両側面における上下の中央付近からそれぞれ外方へ向けて四角柱形状のプールガイドアーム部４５Ｌ及び４５Ｒ（以下ではまとめてプールガイドアーム部４５とも呼ぶ）が延設されている。
【００３８】
プールガイドアーム部４５Ｌは、上側サイドガイド３６Ｌ及び下側サイドガイド３８Ｌとの間にそれぞれ僅かな隙間を形成しつつ、アーム部ガイド空間４０Ｌを介し上側サイドガイド３６Ｌ及び下側サイドガイド３８Ｌの外側まで貫通している。プールガイドアーム部４５Ｒは、プールガイドアーム部４５Ｌと左右対称に形成されており、アーム部ガイド空間４０Ｒを介し上側サイドガイド３６Ｒ及び下側サイドガイド３８Ｒの外側まで貫通している。これによりプールガイド４４は、アーム部ガイド空間４０によってプールガイドアーム部４５が案内されることにより、ビルプレス４２よりも前方において、アーム部ガイド空間４０に沿って前後方向へ自在に移動する。
【００３９】
このプールガイド４４は、紙幣制御部１２（図２）の制御に基づき、プールガイド駆動部５６により前後方向へ駆動される。プールガイド駆動部５６は、ビルプレス駆動部４６の左右方向の外側にそれぞれ設けられており、駆動プーリ５８、従動プーリ６０、ベルト６２及び固定部６４により構成されている。
【００４０】
駆動プーリ５８は、内部空間３０Ａの前側に配置されており、回転軸を左右方向に向けた円板状に形成されている。また駆動プーリ５８は、図示しないアクチュエータからの駆動力が伝達されることにより、図５における時計回り又は反時計回りに回転する。従動プーリ６０は、内部空間３０Ａの後側に配置されており、駆動プーリ５８と同様、回転軸を左右方向に向けた円板状に形成されている。この駆動プーリ５８は、図示しない軸受を介して、フレーム３０に対し図５における時計回り又は反時計回りに自在に回転し得るように取り付けられている。ベルト６２は、柔軟性を有する材料でなり、円環状に形成されている。このベルト６２は、駆動プーリ５８及び従動プーリ６０の周囲に掛け回されており、駆動プーリ５８が回転されると、従動プーリ６０を回転させながら走行する。固定部６４は、ベルト６２に対し固定されると共に、プールガイドアーム部４５における左右の側部に対しても固定されている。このため固定部６４は、ベルト６２の走行に伴ってプールガイド４４を前後方向へ移動させる。
【００４１】
このように内部空間３０Ａ内には、上下がシャッタ３４及びフレーム３０の下側部３０Ｄにより挟まれ、前後がプールガイド４４及びビルプレス４２により挟まれ、さらに左右が上側サイドガイド３６Ｌ及び下側サイドガイド３８Ｌ並びに上側サイドガイド３６Ｒ及び下側サイドガイド３８Ｒにより挟まれた集積空間３２が形成される。集積空間３２は、紙幣の紙面を前後方向に向けると共に、その長手方向を左右方向に向けた状態、すなわち短手方向を概ね上下方向に向けた状態で、複数の当該紙幣を前後方向に集積した状態で収容する。
【００４２】
さらにフレーム３０の下部には、集積空間３２内の紙幣を搬送部２４（図２）へ受け渡す繰出部６６と、搬送部２４から搬送されてきた紙幣を集積空間３２内へ集積する集積部６７とが組み込まれている。
【００４３】
繰出部６６は、上下方向に沿って形成された搬送路６８の前後に配置された繰出ローラ６９及び従動ローラ７０と、フレーム３０の前側部３０Ｆにおける下寄りに配置されたピッカローラ７１とにより構成されている。搬送路６８は、フレーム３０を上下に貫通するように形成されており、紙幣を下方向へ通過させ得る。繰出ローラ６９は、搬送路６８を挟んで従動ローラ７０と対向しており、図示しない駆動機構から駆動力が伝達されることにより、左側面視で反時計回りに回転する。従動ローラ７０は、繰出ローラ６９と当接しており、当該繰出ローラ６９の回転に伴い、左側面視で時計回りに回転する。ピッカローラ７１は、内部空間３０Ａ内に後側の一部分を突出させており、繰出ローラ６９と同様、図示しない駆動機構から駆動力が伝達されることにより、左側面視で反時計回りに回転する。因みにプールガイド４４には、このピッカローラ７１を後側に露出させるための孔部が設けられている。
【００４４】
集積部６７は、上下方向に沿って形成された搬送路７２の前後に配置された集積ローラ７３及び従動ローラ７４により構成されている。搬送路７２は、フレーム３０を上下に貫通するように形成されており、紙幣を上方向へ通過させ得る。集積ローラ７３は、搬送路７２を挟んで従動ローラ７４と対向しており、図示しない駆動機構から駆動力が伝達されることにより、左側面視で反時計回りに回転する。従動ローラ７４は、集積ローラ７３と当接しており、当該集積ローラ７３の回転に伴い、左側面視で時計回りに回転する。
【００４５】
かかる構成において入出金部１６は、例えば入金取引において顧客に紙幣ＢＬを入金させる際、ビルプレス４２を搬送路７２よりも前側に位置させると共にプールガイド４４を搬送路６８よりも後側に位置させ、シャッタ３４を開放して集積空間３２を外部空間と連通させる。これにより入出金部１６は、顧客に紙幣を集積空間３２内へ投入させる。このとき投入された紙幣は、集積空間３２内で長辺をフレーム３０の下側部３０Ｄに当接させ、長手方向をほぼ左右方向へ向けて、ビルプレス４２又はプールガイド４４に立て掛けられた状態となる。
【００４６】
続いて入出金部１６は、図８に示すように、シャッタ３４を閉塞し、プールガイド４４を最も前側に移動させると共に、ビルプレス４２を極力前方へ移動させて当該プールガイド４４に紙幣ＢＬを押し付ける。この状態で入出金部１６は、繰出部６６のピッカローラ７１を回転させることにより、紙幣ＢＬを順次下方へ送り出し、繰出ローラ６９及び従動ローラ７０により当該紙幣ＢＬを搬送路６８に沿って順次下方へ搬送し、搬送部２４（図２）に受け渡していく。この分離動作においては、集積空間３２から繰り出される紙幣ＢＬは、プールガイド４４や集積されている紙幣ＢＬと接触して擦れつつ搬送路６８へ移動することとなる。このため分離動作が行われると、分離される紙幣ＢＬと、プールガイド４４と、集積されている紙幣ＢＬとの互いの摩擦面には静電気が発生し、分離される紙幣ＢＬと、プールガイド４４と、集積されている紙幣ＢＬとは帯電することとなる。
【００４７】
また入出金部１６は、例えば出金取引において顧客へ紙幣ＢＬを出金する際、図９に示すように、ビルプレス４２を最も後側に移動させると共に、プールガイド４４を搬送路７２よりもやや前方に位置させ、集積空間３２を内部空間３０Ａにおける後寄りの部分に形成する。この状態で入出金部１６は、集積ローラ７３及び従動ローラ７４を回転させることにより、搬送部２４（図２）から順次受け渡される紙幣ＢＬを搬送路７２に沿って順次上方へ搬送し、集積空間３２内に集積させていく。このとき入出金部１６は、集積される紙幣ＢＬが増えるに連れてプールガイド４４を前方へ徐々に移動させていき、集積空間３２を徐々に拡大していく。この集積動作においては、搬送路７２を通過した紙幣ＢＬは、ビルプレス４２や既に集積されている紙幣ＢＬと接触して擦れつつ集積空間３２に集積されることになる。このため集積動作が行われると、集積される紙幣ＢＬと、ビルプレス４２と、既に集積されている紙幣ＢＬとの互いの摩擦面には静電気が発生し、集積される紙幣ＢＬと、ビルプレス４２と、既に集積されている紙幣ＢＬとは帯電することとなる。
【００４８】
その後入出金部１６は、出金すべき全ての紙幣ＢＬを集積空間３２内に集積すると、プールガイド４４及びビルプレス４２をそれぞれ図３に示した位置まで前方へ移動させ、さらにシャッタ３４を開放することにより集積空間３２を外部空間と連通させて、紙幣ＢＬを顧客に取り出させる。
【００４９】
このように入出金部１６は、集積空間３２に紙幣ＢＬを収容しながら、顧客との間で当該紙幣ＢＬを授受する。ここで、分離動作及び集積動作を行う際、プールガイド４４、ビルプレス４２及び紙幣ＢＬには静電気が帯電することとなる。
【００５０】
［１−４．放電保護部の構成］
図７に示すように、下側サイドガイド３８Ｌの右側面における孔部４１Ｌの周辺の表面には、銅箔である配線パターン７５Ｌがメッキ処理により形成されている。配線パターン７５Ｌは、円形部７５Ｃ及び導通部７５Ｓにより構成されている。円形部７５Ｃは、孔部４１Ｌの周囲を囲うように円形状に形成されている。導通部７５Ｓは、上端部が円形部７５Ｃに接続されて下方向に延び、下端部が下側サイドガイド３８Ｌの下端面に沿って図６に示すように下側サイドガイド３８Ｌの左端面の下端部まで配設され、当該導通部７５Ｓがフレーム３０の下側部３０Ｄと接触している。これにより配線パターン７５Ｌは、フレーム３０と電気的に接続されている。配線パターン７５Ｒは、配線パターン７５Ｌと左右対称に構成されており、フレーム３０と電気的に接続されている。以下では配線パターン７５Ｌ及び７５Ｒをまとめて配線パターン７５とも呼ぶ。この配線パターン７５とフレーム３０とにより、紙幣やビルプレス４２やプールガイド４４に帯電した静電気を、下側サイドガイド３８の配線パターン７５を介しフレーム３０へ放電させることにより紙幣検知センサ３５を静電気から保護する放電保護部３１が形成されている。
【００５１】
かかる構成において、入出金部１６が分離動作及び集積動作を繰り返すと、紙幣、プールガイド４４及びビルプレス４２が帯電していく。そして紙幣、プールガイド４４及びビルプレス４２の帯電量が一定量以上になると、紙幣、プールガイド４４及びビルプレス４２に近接する金属製の部材である紙幣検知センサ３５に向かって、紙幣、プールガイド４４又はビルプレス４２から静電気が放電される。このとき紙幣検知センサ３５に向かう静電気は、当該紙幣検知センサ３５よりも紙幣、プールガイド４４及びビルプレス４２に近接する配線パターン７５に流れ込むこととなる。
【００５２】
銅箔である配線パターン７５は、樹脂製の下側サイドガイド３８よりも電気抵抗が低いため、配線パターン７５に移動した電荷は、下側サイドガイド３８における配線パターン７５以外の箇所へは移動せず、配線パターン７５からフレーム３０へ移動する。このため紙幣ＢＬ、プールガイド４４又はビルプレス４２に帯電され紙幣検知センサ３５に向かって放電された静電気は、配線パターン７５を介しフレーム３０へ放電される。これにより紙幣、プールガイド４４又はビルプレス４２は除電される。
【００５３】
これにより現金自動取引装置１は、繰出部６６及び集積部６７に近接する位置に配された電子機器である紙幣検知センサ３５に紙幣ＢＬ、プールガイド４４及びビルプレス４２から静電気が流れることを防止でき、静電気による紙幣検知センサ３５の誤動作及び破損を防止できる。
【００５４】
［１−５．搬送部の構成］
搬送部２４は、図１０に示すように、上側搬送ガイド７６Ｕ、下側搬送ガイド７６Ｄ及び図示しないローラにより構成されている。
【００５５】
上側搬送ガイド７６Ｕ及び下側搬送ガイド７６Ｄは、導電性材料で樹脂成形された成形品であり、紙幣ＢＬの紙面と対向する平面状の上側搬送面７６ＡＵ及び下側搬送面７６ＡＤをそれぞれ有しており、互いの搬送面の間に紙幣ＢＬが走行する紙幣搬送空間７７を形成している。
【００５６】
上側搬送ガイド７６Ｕ及び下側搬送ガイド７６Ｄの左右側面であるガイド側面７８には、銅箔である配線パターン７９がメッキ処理により直接形成されている。配線パターン７９は、上側搬送ガイド７６Ｕ及び下側搬送ガイド７６Ｄのガイド側面７８において紙幣ＢＬの搬送方向に沿って直線部７９Ｓが配設されており、当該直線部７９Ｓの一端に円形のグラウンド接続部７９Ｇが形成されている。上側搬送ガイド７６Ｕ及び下側搬送ガイド７６Ｄは、グラウンド接続部７９Ｇにおいて螺子８４により入出金機筐体１１（図２）に螺子止めされている。これにより配線パターン７９は、入出金機筐体１１と電気的に接続されている。
【００５７】
ガイド側面７８には、搬送される紙幣ＢＬに当接し静電気を取り除く除電ブラシ８１が所定箇所に設けられている。除電ブラシ８１は、円柱形状である導電製の除電バー８２が紙幣ＢＬの搬送方向に沿って所定間隔で複数本並んで貼付部材８３により配線パターン７９の直線部７９Ｓと接触するようガイド側面７８に貼り付けられており、紙幣搬送空間７７に向かって伸びている。
【００５８】
この除電ブラシ８１、配線パターン７９及び入出金機筐体１１により、紙幣ＢＬに帯電した静電気を、除電ブラシ８１及び配線パターン７９を介し入出金機筐体１１へ放電させる帯電除去部８５が形成されている。
【００５９】
かかる構成において、紙幣ＢＬが搬送部２４を搬送され当該紙幣ＢＬが除電ブラシ８１に接触すると、紙幣ＢＬから電荷が除電ブラシ８１を介し配線パターン７９へ移動する。銅箔である配線パターン７９は、樹脂製の上側搬送ガイド７６Ｕ及び下側搬送ガイド７６Ｄよりも電気抵抗が低いため、配線パターン７９に移動した電荷は、上側搬送ガイド７６Ｕ及び下側搬送ガイド７６Ｄにおける配線パターン７９以外の箇所へは移動せず、配線パターン７９のグラウンド接続部７９Ｇから螺子８４を介し入出金機筐体１１へ移動する。
【００６０】
このため紙幣ＢＬに帯電された静電気は、除電ブラシ８１、配線パターン７９及び螺子８４を介し入出金機筐体１１へ放電される。これにより紙幣ＢＬは除電される。これにより現金自動取引装置１は、搬送部２４の近傍に配されたセンサ等の電子機器に紙幣ＢＬ及び上側搬送ガイド７６Ｕ及び下側搬送ガイド７６Ｄから静電気が流れこむことを防止でき、静電気による電子機器の誤動作及び破損を防止できる。
【００６１】
［１−６．効果］
ところで、入出金部１６において静電気による紙幣検知センサ３５の誤動作及び破損を防止するために、紙幣検知センサ３５を紙幣ＢＬ、プールガイド４４及びビルプレス４２から十分に離隔させる、すなわち紙幣検知センサ３５と紙幣ＢＬ、プールガイド４４及びビルプレス４２との間に、紙幣ＢＬ、プールガイド４４及びビルプレス４２から紙幣検知センサ３５へ静電気が放電されない程度の空間を空けることがあった。しかしながらその場合、入出金部が大型化してしまっていた。
【００６２】
これに対し現金自動取引装置１は、紙幣ＢＬ、プールガイド４４及びビルプレス４２と紙幣検知センサ３５との位置関係は変化させずに、紙幣ＢＬ、プールガイド４４及びビルプレス４２から紙幣検知センサ３５に静電気が放電されることを防止することができる。これにより現金自動取引装置１は、入出金部１６が大型化することを防ぎつつ、静電気による紙幣検知センサ３５の誤動作及び破損を防止できる。
【００６３】
また静電気による紙幣検知センサ３５の誤動作及び破損を防止するために、紙幣ＢＬ、プールガイド４４及びビルプレス４２から紙幣検知センサへ向かって放電された静電気を紙幣検知センサに到達させない静電気対策部品を別途追加したり、紙幣ＢＬ、プールガイド４４及びビルプレス４２から紙幣検知センサへ静電気が放電されないようにする静電気対策部品を別途追加したりすることも考えられるが、その場合、部品が追加されるため入出金部の構成が複雑化してしまうと共に、コストアップしてしまう。
【００６４】
これに対し現金自動取引装置１は、元々存在する下側サイドガイド３８に配線パターン７５を形成するだけで、紙幣ＢＬ、プールガイド４４及びビルプレス４２から紙幣検知センサ３５に静電気が放電されることを防止することができる。これにより現金自動取引装置１は、構成の複雑化とコストアップとを抑止しつつ、静電気による紙幣検知センサ３５の誤動作及び破損を防止できる。また現金自動取引装置１は、別途部品を追加する必要がないため、入出金部１６を組み立てる際の組立工程が変化することを防止できる。
【００６５】
また、従来の現金自動取引装置において、搬送部における搬送路を構成する成形品である搬送ガイドの表面に導電性膜を設けることにより、紙幣に帯電した静電気を気中放電させるものがある。しかしながらこの従来の現金自動取引装置においては、紙幣をある程度除電できるものの、紙幣から搬送ガイドに移動した電荷は、当該搬送ガイドに帯電したままとなってしまい、当該搬送ガイドの近傍にセンサ等が存在すると、当該搬送ガイドからセンサへ静電気が放電されてしまう可能性がある。
【００６６】
これに対し本実施の形態の現金自動取引装置１は、配線パターン７５とフレーム３０とを接触させることにより、紙幣ＢＬ、プールガイド４４及びビルプレス４２から配線パターン７５へ移動した電荷をフレーム３０へ移動させることができるため、配線パターン７５に移動した電荷が当該配線パターン７５に帯電し続けることがない。これにより現金自動取引装置１は、紙幣ＢＬ、プールガイド４４及びビルプレス４２から配線パターン７５へ移動した電荷を速やかにフレーム３０へ逃し、静電気が紙幣検知センサ３５へ放電されてしまうことを防止できる。
【００６７】
また従来の現金自動取引装置において、導電性ケーブルを搬送ガイドと現金自動取引装置内部の金属製の機構とに接続することにより、紙幣から搬送ガイドに移動した電荷を金属製の機構に逃がすことも考えられる。しかしながらその場合、導電性ケーブルを別途追加しなくてはいけなくなってしまい、構成が複雑化してしまう。
【００６８】
これに対し現金自動取引装置１は、元々存在する下側サイドガイド３８に配線パターン７５をメッキ処理で形成し、当該配線パターン７５とフレーム３０とを接触させるだけで、紙幣ＢＬ、プールガイド４４及びビルプレス４２から配線パターン７５へ移動した電荷をフレーム３０へ移動させることができる。これにより現金自動取引装置１は、構成の複雑化とコストアップとを抑止しつつ、静電気による紙幣検知センサ３５の誤動作及び破損を防止できる。
【００６９】
さらに、静電気による搬送部２４近傍の電子機器の誤動作及び破損を防止するために、当該電子機器を紙幣ＢＬから十分に離隔させる、すなわち当該電子機器と紙幣ＢＬ、上側搬送ガイド７６Ｕ及び下側搬送ガイド７６Ｄとの間に、紙幣ＢＬ、上側搬送ガイド７６Ｕ及び下側搬送ガイド７６Ｄから当該電子機器へ静電気が放電されない程度の空間を空けることがあった。しかしながらその場合、搬送部が大型化してしまっていた。
【００７０】
これに対し現金自動取引装置１は、紙幣ＢＬ、上側搬送ガイド７６Ｕ及び下側搬送ガイド７６Ｄと電子機器との位置関係は変化させずに、紙幣ＢＬ、上側搬送ガイド７６Ｕ及び下側搬送ガイド７６Ｄから電子機器に静電気が放電されることを防止することができる。これにより現金自動取引装置１は、搬送部２４が大型化することを防ぎつつ、静電気による電子機器の誤動作及び破損を防止できる。
【００７１】
また静電気による搬送部２４近傍の電子機器の誤動作及び破損を防止するために、紙幣ＢＬ、上側搬送ガイド７６Ｕ及び下側搬送ガイド７６Ｄから電子機器へ向かって放電された静電気を当該電子機器に到達させない静電気対策部品を別途追加したり、紙幣ＢＬ、上側搬送ガイド７６Ｕ及び下側搬送ガイド７６Ｄから電子機器へ静電気が放電されないようにする静電気対策部品を別途追加したりすることも考えられるが、その場合、部品が追加されるため搬送部２４の構成が複雑化してしまうと共に、コストアップしてしまう。
【００７２】
これに対し現金自動取引装置１は、元々存在する上側搬送ガイド７６Ｕ及び下側搬送ガイド７６Ｄに配線パターン７９を形成し、螺子８４で入出金機筐体１１に接続するだけで、紙幣ＢＬ、上側搬送ガイド７６Ｕ及び下側搬送ガイド７６Ｄから電子機器に静電気が放電されることを防止することができる。これにより現金自動取引装置１は、構成の複雑化とコストアップとを抑止しつつ、静電気による電子機器の誤動作及び破損を防止できる。また現金自動取引装置１は、別途多くの部品を追加する必要がないため、搬送部２４を組み立てる際の組立工程が大きく変化することを防止できる。
【００７３】
また、従来の現金自動取引装置において、搬送路を構成する成形品である搬送ガイドの表面に導電性膜を設けることにより、紙幣に帯電した静電気を気中放電させるものがある。しかしながらこの従来の現金自動取引装置においては、紙幣をある程度除電できるものの、紙幣から搬送ガイドに移動した電荷は、当該搬送ガイドに帯電したままとなってしまい、当該搬送ガイドの近傍にセンサ等が存在すると、当該搬送ガイドからセンサへ静電気が放電されてしまう。
【００７４】
これに対し本実施の形態の現金自動取引装置１は、除電ブラシ８１を配線パターン７９と接触させ、当該配線パターン７９を入出金機筐体１１と接触させることにより、紙幣ＢＬ、上側搬送ガイド７６Ｕ及び下側搬送ガイド７６Ｄから除電ブラシ８１へ移動した電荷を、配線パターン７９を介し入出金機筐体１１へ移動させることができるため、除電ブラシ８１及び配線パターン７９に移動した電荷が当該除電ブラシ８１及び配線パターン７９に帯電し続けることがない。これにより現金自動取引装置１は、紙幣ＢＬから除電ブラシ８１及び配線パターン７９へ移動した電荷を速やかに入出金機筐体１１へ逃し、静電気が電子機器へ放電されてしまうことを防止できる。
【００７５】
また従来の現金自動取引装置において、導電性ケーブルを搬送ガイドと現金自動取引装置内部の金属製の機構とに接続することにより、紙幣から搬送ガイドに移動した電荷を金属製の機構に逃がすことも考えられる。しかしながらその場合、導電性ケーブルを別途追加しなくてはいけなくなってしまい、構成が複雑化してしまう。
【００７６】
これに対し現金自動取引装置１は、元々存在する上側搬送ガイド７６Ｕ及び下側搬送ガイド７６Ｄに配線パターン７９をメッキ処理で形成し、当該配線パターン７９と入出金機筐体１１とを接触させるだけで、紙幣ＢＬ、上側搬送ガイド７６Ｕ及び下側搬送ガイド７６Ｄから除電ブラシ８１及び配線パターン７９へ移動した電荷を入出金機筐体１１へ移動させることができる。これにより現金自動取引装置１は、構成の複雑化とコストアップとを抑止しつつ、静電気による電子機器の誤動作及び破損を防止できる。
【００７７】
以上の構成によれば、現金自動取引装置１は、媒体としての紙幣に関する取引を受け付ける顧客応対部３と、移動する紙幣の近傍において当該紙幣を支持し成形により形成されたビルプレス４２、プールガイド４４、上側搬送ガイド７６Ｕ及び下側搬送ガイド７６Ｄと、当該ビルプレス４２、プールガイド４４、上側搬送ガイド７６Ｕ及び下側搬送ガイド７６Ｄの近傍に設けられた導電性のフレーム３０及び入出金機筐体１１と、ビルプレス４２、プールガイド４４、上側搬送ガイド７６Ｕ及び下側搬送ガイド７６Ｄの表面に形成された導体でありフレーム３０及び入出金機筐体１１と電気的に接続され、帯電した紙幣から移動した電荷をフレーム３０及び入出金機筐体１１へ放電する配線パターン７５である放電保護部３１と配線パターン７９である帯電除去部８５とを設けるようにする。これにより現金自動取引装置１は、構造を複雑化させることなく静電気が紙幣検知センサ３５に放電されることを防止し、静電気による紙幣検知センサ３５の誤動作及び破損を防止できると共に、搬送部２４の近傍に配された電子機器に紙幣から静電気が流れこむことを防止でき、静電気による電子機器の誤動作及び破損を防止できる。
【００７８】
［２．第２の実施の形態］
［２−１．現金自動取引装置及び紙幣入出金機の構成］
図１及び図２に示すように、第２の実施の形態による現金自動取引装置１０１の紙幣入出金機１１０は、第１の実施の形態による現金自動取引装置１の紙幣入出金機１０と比べて、入出金部１１６が入出金部１６と、搬送部１２４が搬送部２４と異なっているものの、それ以外は同様に構成されている。
【００７９】
［２−２．入出金部の構成］
図１１及び図１２に示すように、入出金部１１６は、入出金部１６と比べて、放電保護部３１に替えて帯電除去部３３が設けられている点が異なっているものの、それ以外は同様に構成されている。
【００８０】
［２−３．帯電除去部の構成］
図１１及び図１２に示すように、下側サイドガイド１３８Ｌの右側面の表面には、銅箔である配線パターン１７５Ｌがメッキ処理により形成されている。配線パターン１７５Ｌは、下側サイドガイド１３８Ｌの上端面の右端部から下方向に延び、下端部が下側サイドガイド１３８Ｌの下端面に沿って下側サイドガイド１３８Ｌの左端面の下端部まで配設され、フレーム３０の下側部３０Ｄと接触している。これにより配線パターン１７５Ｌは、フレーム３０と電気的に接続されている。配線パターン１７５Ｒは、配線パターン１７５Ｌと左右対称に構成されており、フレーム３０と電気的に接続されている。以下では配線パターン１７５Ｌ及び１７５Ｒをまとめて配線パターン１７５とも呼ぶ。
【００８１】
ビルプレス１４２には、ビルプレスアーム部１４３Ｌにおいて下側サイドガイド１３８Ｌの上端面と対向する下端面から、ビルプレス１４２の後側面を介し、ビルプレスアーム部１４３Ｒにおいて下側サイドガイド１３８Ｒの上端面と対向する下端面までに亘って、銅箔であり直線形状の配線パターン８６が形成されている。以下では下側サイドガイド１３８Ｌ及び１３８Ｒをまとめて下側サイドガイド１３８とも呼ぶ。これによりビルプレス１４２は、配線パターン８６と下側サイドガイド１３８の配線パターン１７５とが、ビルプレス１４２の位置に拘らず、常に接触している。
【００８２】
プールガイド１４４にも、ビルプレス１４２と同様に、プールガイドアーム部１４５Ｌにおいて下側サイドガイド１３８Ｌの上端面と対向する下端面から、プールガイド１４４の後側面を介し、プールガイドアーム部１４５Ｒにおいて下側サイドガイド１３８Ｒの上端面と対向する下端面までに亘って、銅箔であり直線形状の配線パターン８８が形成されている。これによりプールガイド１４４は、配線パターン８８と下側サイドガイド１３８の配線パターン１７５とが、プールガイド１４４の位置に拘らず、常に接触している。
【００８３】
この配線パターン８６及び８８と配線パターン１７５とフレーム３０とにより、紙幣やビルプレス１４２やプールガイド１４４に帯電した静電気を、ビルプレス１４２の配線パターン８６と、プールガイド１４４の配線パターン８８から下側サイドガイド１３８の配線パターン１７５を介しフレーム３０へ放電させる帯電除去部３３が形成されている。
【００８４】
かかる構成において、現金自動取引装置１が分離動作及び集積動作を繰り返すと、紙幣、プールガイド１４４及びビルプレス１４２が帯電していく。このときビルプレス１４２に帯電された静電気は、配線パターン８６から下側サイドガイド１３８の配線パターン１７５へ放電される。またこのときプールガイド１４４に帯電された静電気は、配線パターン８８から下側サイドガイド１３８の配線パターン１７５へ放電される。
【００８５】
このため紙幣、プールガイド１４４及びビルプレス１４２に帯電された静電気は、配線パターン８６及び８８それぞれから配線パターン１７５を介しフレーム３０へ放電される。これにより紙幣、プールガイド１４４及びビルプレス１４２は除電される。これにより現金自動取引装置１０１は、繰出部６６及び集積部６７に近接する位置に配された電子機器である紙幣検知センサ３５に紙幣、プールガイド１４４及びビルプレス１４２から静電気が流れることを防止でき、静電気による紙幣検知センサ３５の誤動作及び破損を防止できる。
【００８６】
［２−４．搬送部の構成］
図１３に示すように、搬送部１２４は、搬送部２４と比べて、帯電除去部１８５が帯電除去部８５と異なっているものの、それ以外は同様に構成されている。
【００８７】
上側搬送ガイド７６Ｕ及び下側搬送ガイド７６Ｄのガイド側面７８には、銅箔である配線パターン１７９がメッキ処理により直接形成されている。配線パターン１７９は、上側搬送ガイド７６Ｕ及び下側搬送ガイド７６Ｄのガイド側面７８において紙幣ＢＬの搬送方向に沿って直線部１７９Ｓが配設されており、当該直線部１７９Ｓの一端に円形のグラウンド接続部１７９Ｇが形成されている。上側搬送ガイド７６Ｕ及び下側搬送ガイド７６Ｄは、グラウンド接続部１７９Ｇにおいて螺子８４により入出金機筐体１１（図２）に螺子止めされている。これにより配線パターン１７９は、入出金機筐体１１と電気的に接続されている。
【００８８】
また配線パターン１７９は、紙幣搬送空間７７に向かうに連れて先細りとなり先端が尖った突出部１７９Ｐが、紙幣ＢＬの搬送方向に沿って所定間隔で複数本並んで直線部１７９Ｓから紙幣搬送空間７７に向かって上側搬送面７６ＡＵ及び下側搬送面７６ＡＤの側方まで伸びている。
【００８９】
この配線パターン１７９及び入出金機筐体１１により、紙幣ＢＬに帯電した静電気を、配線パターン１７９を介し入出金機筐体１１へ放電させる帯電除去部１８５が形成されている。
【００９０】
かかる構成において、紙幣ＢＬが搬送部２４を搬送され当該紙幣ＢＬが配線パターン１７９の突出部１７９Ｐに接触すると、紙幣ＢＬから電荷が配線パターン１７９へ移動し、グラウンド接続部１７９Ｇから螺子８４を介し入出金機筐体１１へ移動する。
【００９１】
このため紙幣ＢＬに帯電された静電気は、配線パターン１７９及び螺子８４を介し入出金機筐体１１へ放電される。これにより紙幣ＢＬは除電される。これにより現金自動取引装置１は、搬送部２４の近傍に配されたセンサ等の電子機器に紙幣ＢＬ及び上側搬送ガイド７６Ｕ及び下側搬送ガイド７６Ｄから静電気が流れこむことを防止でき、静電気による電子機器の誤動作及び破損を防止できる。
【００９２】
［２−５．効果］
従来の現金自動取引装置において、導電性ケーブルをビルプレス及びプールガイドとフレームとに接続することにより、ビルプレス及びプールガイドからフレームへ電荷を逃がすことも考えられる。しかしながらその場合、導電性ケーブルを別途追加しなくてはいけなくなってしまい、構成が複雑化してしまう共に、ビルプレス及びプールガイドが移動した際に当該導電性ケーブルが他の機構と干渉しないように導電性ケーブルを引き回す必要があるため、実質的に導電性ケーブルをビルプレス及びプールガイドに接続することは困難であった。
【００９３】
これに対し現金自動取引装置１０１は、元々存在する下側サイドガイド１３８に配線パターン１７５をメッキ処理で形成し当該配線パターン１７５と入出金機筐体１１とを接触させると共に、ビルプレス１４２及びプールガイド１４４に配線パターン８６及び配線パターン８８をそれぞれメッキ処理で形成し当該配線パターン８６及び８８と配線パターン１７５とを接触させるだけで、ビルプレス１４２及びプールガイド１４４に帯電した電荷を入出金機筐体１１へ移動させることができる。これにより現金自動取引装置１は、構成の複雑化とコストアップとを抑止しつつ、移動する機構であるビルプレス１４２及びプールガイド１４４の除電を行うことができる。
【００９４】
また、従来の現金自動取引装置において移動するビルプレス及びプールガイドを除電する場合、当該ビルプレス及びプールガイドが、移動経路上における所定位置に来た場合にのみフレームと接触するような構造にすることも考えられるが、その場合、ビルプレス及びプールガイドの移動経路における位置に拘らず常に当該ビルプレス及びプールガイドから静電気を逃がすことはできなかった。
【００９５】
これに対し現金自動取引装置１０１は、ビルプレス１４２及びプールガイド１４４の位置に拘らず当該ビルプレス１４２及びプールガイド１４４の配線パターン８６及び８８を下側サイドガイド１３８の配線パターン１７５に常に接触させることにより、ビルプレス１４２及びプールガイド１４４が帯電した静電気を常にフレーム３０に放電させることができる。これにより現金自動取引装置１０１は、可動するビルプレス１４２及びプールガイド１４４を常にフレーム３０と導通させ、ビルプレス１４２とプールガイド１４４の電荷を帯電量が増大する前にフレーム３０に逃すことができる。
【００９６】
また現金自動取引装置１０１は、ビルプレスアーム部１４３において下側サイドガイド１３８の上端面と対向する下端面に配線パターン８６を形成するようにした。ここで、ビルプレスアーム部１４３は重力の影響で下方向に向かうため、上側サイドガイド３６に対するビルプレスアーム部１４３の接触力よりも下側サイドガイド１３８に対するビルプレスアーム部１４３の接触力の方が強くなる。これにより現金自動取引装置１０１は、ビルプレスアーム部１４３と上側サイドガイド３６との対向する面に配線パターンを形成する場合よりも、ビルプレスアーム部１４３に帯電した電荷を確実に逃すことができる。プールガイド１４４においても同様である。
【００９７】
また現金自動取引装置１０１は、現金自動取引装置１と比べて、除電ブラシ８１を搬送部２４に別途追加することなく、搬送される紙幣ＢＬに近接する突出部１７９Ｐを上側搬送ガイド７６Ｕ及び下側搬送ガイド７６Ｄの配線パターン１７９に形成するだけで、紙幣ＢＬを除電することができる。
【００９８】
その他第２の実施の形態による帯電除去部３３及び帯電除去部１８５は、第１の実施の形態による放電保護部３１及び帯電除去部８５とほぼ同様の作用効果を奏する。
【００９９】
以上の構成によれば、現金自動取引装置１０１は、紙幣に関する取引を受け付ける顧客応対部３と、移動する紙幣の近傍において当該紙幣を支持し成形により形成されたビルプレス１４２、プールガイド１４４、上側搬送ガイド７６Ｕ及び下側搬送ガイド７６Ｄと、当該ビルプレス１４２、プールガイド１４４、上側搬送ガイド７６Ｕ及び下側搬送ガイド７６Ｄの近傍に設けられた導電性のフレーム３０及び入出金機筐体１１と、ビルプレス１４２、プールガイド１４４、上側搬送ガイド７６Ｕ及び下側搬送ガイド７６Ｄの表面に形成された導体でありフレーム３０及び入出金機筐体１１と電気的に接続され、帯電した紙幣から移動した電荷をフレーム３０及び入出金機筐体１１へ放電する配線パターン８６、８８及び１７５である帯電除去部３３と配線パターン１７９である帯電除去部１８５とを設けるようにする。これにより現金自動取引装置１０１は、構造を複雑化させることなく静電気が紙幣検知センサ３５に放電されることを防止し、静電気による紙幣検知センサ３５の誤動作及び破損を防止できると共に、搬送部２４の近傍に配された電子機器に紙幣ＢＬから静電気が流れこむことを防止でき、静電気による電子機器の誤動作及び破損を防止できる。
【０１００】
［３．他の実施の形態］
なお上述した第１の実施の形態においては、配線パターン７５とフレーム３０とを物理的に接触させる場合について述べた。本発明はこれに限らず、配線パターン７５とフレーム３０とは、物理的に接触せず、配線パターン７５からフレーム３０へ放電可能な程度に近接しているだけでも良い。第２の実施の形態においても同様である。
【０１０１】
また上述した第１の実施の形態においては、ビルプレス４２及びプールガイド４４を、導電性樹脂で成形する場合について述べた。本発明はこれに限らず、ビルプレス４２及びプールガイド４４を絶縁性の樹脂で成形しても良い。第２の実施の形態においても同様である。
【０１０２】
さらに上述した第１の実施の形態においては、円形部７５Ｃ及び導通部７５Ｓで配線パターン７５を形成する場合について述べた。本発明はこれに限らず、下側サイドガイド３８において紙幣検知センサ３５の光軸を通過させる孔部４１Ｌの近傍に形成され、紙幣ＢＬ、ビルプレス４２又はプールガイド４４から紙幣検知センサ３５に向かって移動する電荷が紙幣検知センサ３５よりも先に到達する、種々の形状の配線パターンで良い。この場合、円形部７５Ｃのように、孔部４１を取り囲むように配線パターンが形成されている方がより一層紙幣検知センサを放電から保護することができる。
【０１０３】
さらに上述した第２の実施の形態においては、ビルプレスアーム部１４３Ｌにおいて下側サイドガイド１３８Ｌの上端面と対向する下端面から、ビルプレス１４２の後側面を介し、ビルプレスアーム部１４３Ｒにおいて下側サイドガイド１３８Ｒの上端面と対向する下端面までに亘って配線パターン８６を形成する場合について述べた。本発明はこれに限らず、ビルプレス１４２の後側面には配線パターン８６を形成しなくても良い。またビルプレスアーム部１４３Ｌ又は１４３Ｒの何れか一方にのみ、配線パターン１７９と接触する配線パターン８６を形成しても良い。要は、ビルプレス１４２と下側サイドガイド１３８とを配線パターンで電気的に接続できれば良い。プールガイド１４４についても同様である。
【０１０４】
さらに上述した第２の実施の形態においては、下側サイドガイド１３８の上端面に上端部の高さが揃うよう配線パターン１７５を下側サイドガイド１３８の内壁面に形成する場合について述べた。本発明はこれに限らず、下側サイドガイド１３８の上端面に沿って当該下側サイドガイド１３８の外壁面に向かって配線パターン１７５を形成しても良い。この場合、配線パターン８６及び８８が配線パターン１７５とより一層接触し易くなるため、より確実に配線パターン８６及び８８から配線パターン１７５へ電荷を移動させることができる。
【０１０５】
さらに上述した実施の形態においては、紙幣検知センサ３５Ｌを１個設け、当該紙幣検知センサ３５Ｌに対し放電保護部３１を設ける場合について述べた。本発明はこれに限らず、紙幣検知センサ３５Ｌを複数個設け、複数個の当該紙幣検知センサ３５Ｌそれぞれに対し放電保護部３１を設けても良い。紙幣検知センサ３５Ｒについても同様である。
【０１０６】
さらに上述した第１の実施の形態においては、上側搬送ガイド７６Ｕ及び下側搬送ガイド７６Ｄの両方に帯電除去部８５を設ける場合について述べた。本発明はこれに限らず、上側搬送ガイド７６Ｕ又は下側搬送ガイド７６Ｄの何れか一方のみに帯電除去部８５を設けても良い。第２の実施の形態においても同様である。
【０１０７】
さらに上述した第１及び第２の実施の形態における入出金部１６の放電保護部３１と、入出金部１１６の帯電除去部３３と、搬送部２４の帯電除去部８５と、搬送部１２４の帯電除去部１８５とを、適宜組み合わせて良い。
【０１０８】
さらに上述した第１の実施の形態においては、入出金部１６に放電保護部３１を設ける場合について述べた。本発明はこれに限らず、一時保留部２０、取忘れ庫２２、紙幣収納庫２６やリジェクト庫２８等、紙幣ＢＬが周囲の機構と擦れながら搬送される箇所に対し、放電保護部を設けても良い。第２の実施の形態による帯電除去部３３においても同様である。
【０１０９】
さらに上述した実施の形態においては、紙幣を取引する現金自動取引装置１及び１０１において本発明を適用する場合について述べた。本発明はこれに限らず、例えば債権、証書、商品券、金券や入場券等のような薄い紙状の媒体を取り扱う種々の装置に適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【０１１０】
さらに上述した実施の形態においては、入金取引及び出金取引を行う現金自動取引装置に本発明を適用する場合について述べたが、入金取引又は出金取引の何れか一方のみを行う装置に本発明を適用しても良い。
【０１１１】
さらに上述した実施の形態においては、成形品としての下側サイドガイド３８又は、上側搬送ガイド７６Ｕ及び下側搬送ガイド７６Ｄと、フレームとしてのフレーム３０又は入出金機筐体１１と、除電部としての放電保護部３１又は帯電除去部８５とによって、帯電防止機構としての入出金部１６又は搬送部２４を構成する場合について述べた。本発明はこれに限らず、その他種々の構成でなる成形品と、フレームと、除電部とによって、帯電防止機構を構成しても良い。
【０１１２】
さらに上述した実施の形態においては、顧客応対部としての顧客応対部３と、成形品としての下側サイドガイド３８又は、上側搬送ガイド７６Ｕ及び下側搬送ガイド７６Ｄと、フレームとしてのフレーム３０又は入出金機筐体１１と、除電部としての放電保護部３１又は帯電除去部８５とによって、媒体取引装置としての現金自動取引装置１を構成する場合について述べた。本発明はこれに限らず、その他種々の構成でなる顧客応対部と、成形品と、フレームと、除電部とによって、媒体取引装置を構成しても良い。
【産業上の利用可能性】
【０１１３】
本発明は、静電気から電子機器等を保護する種々の装置でも利用できる。
【符号の説明】
【０１１４】
１、１０１……現金自動取引装置、２……筐体、３……顧客応対部、４……カード入出口、５……入出金口、６……操作表示部、７……テンキー、８……レシート発行口、９……主制御部、１０、１１０……紙幣入出金機、１１……入出金機筐体、１２……紙幣制御部、１４……記憶部、１６、１１６……入出金部、１８……鑑別部、２０……一時保留部、２２……取忘れ庫、２４、１２４……搬送部、２６……紙幣収納庫、２８……リジェクト庫、３０……フレーム、３０Ａ……内部空間、３０Ｄ……下側部、３０Ｆ……前側部、３０Ｂ……後側部、３０Ｒ……右側部、３０Ｌ……左側部、３１……放電保護部、３２……集積空間、３３……帯電除去部、３４……シャッタ、３５Ｌ、３５Ｒ……紙幣検知センサ、３６Ｌ、３６Ｒ……上側サイドガイド、３８Ｌ、３８Ｒ、１３８Ｌ、１３８Ｒ……下側サイドガイド、４０Ｌ、４０Ｒ……アーム部ガイド空間、４１Ｌ、４１Ｒ……孔部、４２、１４２……ビルプレス、４３Ｌ、４３Ｒ、１４３Ｌ、１４３Ｒ……ビルプレスアーム部、４４、１４４……プールガイド、４５Ｌ、４５Ｒ、１４５Ｌ、１４５Ｒ……プールガイドアーム部、４６……ビルプレス駆動部、４８……駆動プーリ、５０……従動プーリ、５２……ベルト、５４……固定部、５６……プールガイド駆動部、５８……駆動プーリ、６０……従動プーリ、６２……ベルト、６４……固定部、６６……繰出部、６７……集積部、６８……搬送路、６９……繰出ローラ、７０……従動ローラ、７１……ピッカローラ、７２……搬送路、７３……集積ローラ、７４……従動ローラ、７５Ｌ、７５Ｒ、１７５Ｌ、１７５Ｒ……配線パターン、７５Ｃ……円形部、７５Ｓ……導通部、７６Ｕ……上側搬送ガイド、７６Ｄ……下側搬送ガイド、７６ＡＵ……上側搬送面、７６ＡＤ……下側搬送面、７７……紙幣搬送空間、７８……ガイド側面、７９、１７９……配線パターン、７９Ｇ、１７９Ｇ……グラウンド接続部、７９Ｓ、１７９Ｓ……直線部、１７９Ｐ……突出部、８１……除電ブラシ、８２……除電バー、８３……貼付部材、８４……螺子、８５、１８５……帯電除去部、８６……配線パターン、８８……配線パターン、ＢＬ……紙幣。
【図１】
0006409525.tif 000002
【図２】
0006409525.tif 000003
【図３】
0006409525.tif 000004
【図４】
0006409525.tif 000005
【図５】
0006409525.tif 000006
【図６】
0006409525.tif 000007
【図７】
0006409525.tif 000008
【図８】
0006409525.tif 000009
【図９】
0006409525.tif 000010
【図１０】
0006409525.tif 000011
【図１１】
0006409525.tif 000012
【図１２】
0006409525.tif 000013
【図１３】
0006409525.tif 000014